(57)【要約】【課題】貯水槽内にある水または水蒸気の逆流を防止することができる。【解決手段】装置本体と、貯水槽と、ノズルと、水供給器とを含み、前記貯水槽が前記装置本体の内部に設置され、前記貯水槽内にある水は水粒子になって前記貯水槽の上に設けた前記ノズルから大気に排出され、前記装置本体の上には前記水供給器と嵌合するための水流入口が設けてある加湿機の水供給止め構造において、前記水供給器と前記貯水槽の間には一つの連接槽が設けてあり、前記連接槽には水を通過するためのゲートウェーが設けてあり、前記連接槽には、前記ゲートウェーの寸法に対応し水が一方向だけ流動可能にするように前記ゲートウェーを遮断するための止め片が一つ設けてあることを特徴とする加湿機の水供給止め構造。【選択図】図１
0003121047.tif 000002
【実用新案登録請求の範囲】
【請求項１】
装置本体と、貯水槽と、ノズルと、水供給器とを含み、前記貯水槽が前記装置本体の内部に設置され、前記貯水槽内にある水は水粒子になって前記貯水槽の上に設けた前記ノズルから大気に排出され、前記装置本体の上には前記水供給器と嵌合するための水流入口が設けてある、加湿機の水供給止め構造において、
前記水供給器と前記貯水槽の間に、一つの連接槽が設けてあり、
前記連接槽に水を通過するためのゲートウェーが設けてあり、
前記連接槽には、前記ゲートウェーの寸法に対応し、水が一方向だけに流動可能とするように前記ゲートウェーを遮断するための止め片が、一つ設けてあることを特徴とする、
加湿機の水供給止め構造。
【請求項２】
前記止め片は、一端が前記ゲートウェーの両端に枢着してあり、他端が宙に浮き、前記止め片の宙に浮く他端は、前記ゲートウェーの外側の段差部に当接することを特徴とする、請求項１に記載の加湿機の水供給止め構造。
【請求項３】
前記止め片は、一定角度の範囲内に旋回を限定されることを特徴とする、請求項１又は請求項２に記載の加湿機の水供給止め構造。
【考案の詳細な説明】
【技術分野】
【０００１】
本考案は、加湿機の水供給止め構造に係り、特に、ゲートウェーに止め片を枢着することにより、水供給器からの水はゲートウェーを一方向だけ通過でき、貯水槽内にある水が回流不能になり、熱エネルギーの放熱を防止できる、加湿機の水供給止め構造に関するものである。
【背景技術】
【０００２】
研究データによると、空気の湿度が５５％ＲＨになったときに、細菌は繁殖し難くなり、空気の湿度が６５％ＲＨ以上になったときに、人体の呼吸系統および粘膜には不快適な感じがし、免疫力が降下する。
また、空気の湿度が２０％ＲＨ以下になったときに、吸入された浮き粒子やホコリが増加することにより、人間は病気になり易い。
【０００３】
乾燥し過ぎる環境では、静電気が増加し、ひいては人間の気分および気持ちは悪くなり、そして家具や本は劣化し易くなる。
中国北京を例にすれば、その冬期の室内湿度は僅か２０％ＲＨ程度であり、正常湿度４０％〜７０％ＲＨよりも遥かに低いので、適当な加湿機を使用して室内湿度を正常湿度に保持することが必要である。
【０００４】
目下、加湿機を機能で分類すると、電熱タイプと、超音波タイプと、霧化タイプとなどがある。
電熱タイプの加湿機は、蒸気タイプ加湿機とも呼ばれ、その構造は簡単で、製造コストが低く、加湿効果に優れるなどのメリットがある。
電熱タイプの加湿機の構成は、主に、装置本体と、貯水槽と、ノズルと、水供給器とを含む。
貯水槽が装置本体の内部に設置され水を収容し、ヒータにより貯水槽を加熱すると、水が水粒子になって貯水槽の上に設けたノズルを経由して大気に排出される。
装置本体の上には水供給器と嵌合するための水流入口が設けてある。
水供給器は水を供給するための密封容器であり、水が切れたときには、前記水供給器を取り出して水を補充し、本来の位置に戻す。
【０００５】
図６は従来の加湿機の構造を示す概略図である。
水供給器９１内にある水が、連接槽９２およびゲートウェー９３を経由して、貯水槽９４に流入する。水は貯水槽９４へ持続して流入し、貯水槽９４内の水を一定高さに保持する。
貯水槽９４内の水をヒータ（図示せず）によって加熱した後は、水は高温状態（８０℃〜１００℃）にある。このとき、給水が不正常になると、貯水槽９４内の水が連接槽９２と水供給器９１の排水口まで上昇する。連接槽９２と水供給器９１が高温状態にある水と接触すると、材質の劣化が早まる。また、焼損することもある。
また、水供給器９１内にある水が切れた場合には、連接槽９２内にも水がないため、貯水槽９４内の水蒸気が連接槽９２まで拡散し、連接槽９２と水供給器９１の材質の劣化が急速早まる。また、焼損することもある。
【考案の開示】
【考案が解決しようとする課題】
【０００６】
本考案の主な目的は、貯水槽内にある水または水蒸気の逆流を防止することができる、加湿機用水供給止め構造を提供する。
【課題を解決するための手段】
【０００７】
上記目的を達成するためになされた本願の第１考案は、装置本体と、貯水槽と、ノズルと、水供給器とを含み、前記貯水槽が前記装置本体の内部に設置され、前記貯水槽内にある水は水粒子になって前記貯水槽の上に設けた前記ノズルから大気に排出され、前記装置本体の上には前記水供給器と嵌合するための水流入口が設けてある、加湿機の水供給止め構造において、前記水供給器と前記貯水槽の間に、一つの連接槽が設けてあり、前記連接槽に水を通過するためのゲートウェーが設けてあり、前記連接槽には、前記ゲートウェーの寸法に対応し、水が一方向だけに流動可能とするように前記ゲートウェーを遮断するための止め片が、一つ設けてあることを特徴とする、加湿機の水供給止め構造を提供する。
【０００８】
また、本願の第２考案は、前記止め片は、一端が前記ゲートウェーの両端に枢着してあり、他端が宙に浮き、前記止め片の宙に浮く他端は前記ゲートウェーの外側の段差部に当接することを特徴とする、第１考案に記載の加湿機の水供給止め構造を提供する。
【０００９】
また、本願の第３考案は、前記止め片は、一定角度の範囲内に旋回を限定されることを特徴とする、第１考案又は第２考案に記載の加湿機の水供給止め構造を提供する。
【考案の効果】
【００１０】
本考案に係る加湿機用水供給止め構造によれば、貯水槽内にある水または水蒸気の逆流を防止することができる。
【考案を実施するための最良の形態】
【００１１】
以下、添付図面を参照して本考案の好適な実施の形態を詳細に説明する。
【００１２】
まず、図１乃至図５を参照する。
本考案に係る加湿機１は、装置本体２と、貯水槽３と、ノズル４と、水供給器５とを含む。
貯水槽３は、装置本体２の内部に設置され、貯水槽３内にある水は水粒子になって貯水槽３の上に設けた前記ノズル４から大気に排出される。
水粒子発生器は、ヒータでもよいし、超音波発振器でもよいし、霧化器でもよい。
装置本体２は、台座２１と上蓋２２とから構成される。
装置本体２のノズル４と対向する箇所には、カバー２２１が設けてあり、カバー２２１には整列した排気穴２２１１が複数に開設してある。カバー２２１によって、ノズル４はユーザから隔離されるとともに、水粒子がノズル４を通過できる。
また、ノズル４には水粒子をより遠い箇所まで輸送可能になるためのホース（図示せず）が接続してある。
装置本体２の上には、水供給器５と嵌合するための水流入口２３が設けてある。
【００１３】
水供給器５と貯水槽３の間には、一つの連接槽２４が設けてあり、連接槽２４には水を通過するためのゲートウェー２５が設けてある。
連接槽２４には、ゲートウェー２５の寸法に対応し、水が一方向だけ流動可能にするように、ゲートウェー２５を遮断するための止め片６が一つ設けてある。
止め片６は、一端がゲートウェー２５の両端に枢着してあり、他端が宙に浮き、止め片６の宙に浮く他端は、ゲートウェー２５の外側の段差部２５１に当接する。これにより、水が一方向だけにゲートウェー２５を通過でき、貯水槽３内の水は逆流できなくなる。また、段差部２５１により止め片６の密封効果も良くなる。
【００１４】
止め片６の重量は軽くて損壊し難いものである。また、止め片６は一定角度の範囲内に旋回を限定される。
水供給器５の水がゲートウェー２５を通過する場合には、止め片６は旋回可能な角度範囲により１〜２mmだけ開き、水が貯水槽３に流入する。これにより、止め片６が大きな角度に浮き上がり、水を止める効果が喪失することを回避できる。
水が止め片６まで上昇するときは、止め片６が段差部２５１に当接し、且つ、水圧が止め片６を押すので、ゲートウェー２５は緊密に閉鎖される。
このとき、水は水供給器５から流入しなくなり、貯水槽３内の水も連接槽２４に流入しない。だから、水の供給が中断せず、且つ、貯水槽３内のお湯または蒸気の拡散問題も防止することができる。
【００１５】
このように、本考案の特定の例を参照して説明したが、これらの例は、説明のためだけのものであり、本考案を限定するものではない。この分野の通常の知識を有する者には、本考案の実用新案登録請求の範囲を逸脱することなく、ここで開示された実施例に変更、追加、または、削除を施してもよいことがわかる。これらの変更、追加、または削除は本考案の権利範囲内に包含されることは言うまでもない。
【図面の簡単な説明】
【００１６】
【図１】本考案の分解斜視図である。
【図２】図１の一部の拡大図である。
【図３】本考案の上面図である。
【図４】本考案の水が貯水槽に流入する状態を示す断面図である。
【図５】本考案に係る止め片がゲートウェーを止めた状態を示す断面図である。
【図６】従来の加湿機の構造を示す概略図である。
【符号の説明】
【００１７】
１        加湿機
２        装置本体
２１      台座
２２      上蓋
２２１    カバー
２２１１  排気穴
２３      水流入口
２４      連接槽
２５      ゲートウェー
２５１    段差部
３        貯水槽
４        ノズル
５        水供給器
６        止め片
６１      枢着ロッド
９        加湿機
９１      水供給器
９２      連接槽
９３      ゲートウェー
９４      貯水槽
【図１】
0003121047.tif 000003
【図２】
0003121047.tif 000004
【図３】
0003121047.tif 000005
【図４】
0003121047.tif 000006
【図５】
0003121047.tif 000007
【図６】
0003121047.tif 000008